(57)【要約】【課題】  この発明は、テレビジョン受像機全体を制御するＴＶマイコンの内部の時刻情報を補正するために、デジタル放送を受信することによって取得した時刻情報をデジタル放送受信用マイコンからＴＶマイコンに通信する際に、通信情報量の低減化が図れるテレビジョン受像機を提供することを目的とする。【解決手段】  デジタル放送受信用マイコンは、デジタル放送を受信することによって取得した時刻情報に含まれている”時”、”分”および”秒”の情報のうちの”分”および”秒”の情報の両方が０であるか否かを判別する判別手段、ならびにデジタル放送を受信することによって取得した時刻情報に含まれている”分”および”秒”の情報の両方が０であると判別したときのみ、その時刻情報に含まれている”時”の情報のみをＴＶマイコンに送信する手段を備えている。【選択図】  図１
2006352747.tif 000002
【特許請求の範囲】
【請求項１】
テレビジョン受像機全体を制御するＴＶマイコン、ＴＶマイコンの内部の時刻情報を補正するために、デジタル放送を受信することによって取得した時刻情報をＴＶマイコンに通信するデジタル放送受信用マイコンとを備えたテレビジョン受像機において、
デジタル放送受信用マイコンは、デジタル放送を受信することによって取得した時刻情報に含まれている”時”、”分”および”秒”の情報のうちの”分”および”秒”の情報の両方が０であるか否かを判別する判別手段、ならびにデジタル放送を受信することによって取得した時刻情報に含まれている”分”および”秒”の情報の両方が０であると判別したときのみ、その時刻情報に含まれている”時”の情報のみをＴＶマイコンに送信する手段を備えており、
ＴＶマイコンは、デジタル放送受信用マイコンから送信されてきた時刻情報に基づいて内部の時刻情報を補正する手段を備えていることを特徴とするテレビジョン受像機。
【発明の詳細な説明】
【技術分野】
【０００１】
この発明は、デジタル放送受信機能を備えたテレビジョン受像機に関する。
【背景技術】
【０００２】
ＢＳデジタル放送、地上波デジタル放送等のデジタル放送を受信する機能を備えたテレビジョン受像機では、一般に、デジタル放送受信用マイコンとテレビジョン受像機全体を制御するＴＶマイコンとを備えている。デジタル放送では正確な時刻情報が送出されているので、この種のテレビジョン受像機として、デジタル放送によって送出されている時刻情報を受信して、ＴＶマイコンの内部の時刻情報（内部時計）を補正する時刻補正機能を備えたものもある。つまり、デジタル放送受信用マイコンはデジタル放送を受信することによって得られた正確な時刻情報をＴＶマイコンに通信し、ＴＶマイコンはデジタル放送受信用マイコンから通信されてきた時刻情報に基づいて内部の時刻情報を補正する。
【０００３】
従来の時刻補正機能においては、デジタル放送受信用マイコンからＴＶマイコンに、時刻情報に含まれている”時”、”分”、”秒”それぞれの情報をＴＶマイコンに通信している。３線シリアル通信によって”時”、”分”、”秒”の全ての情報を通信しようとすると、”時”の情報は０から２３まであるため５ｂｉｔ、”分”の情報は０から５９まであるため６ｂｉｔ、”秒”の情報は０から５９まであるため６ｂｉｔ必要であるため、合計１７ｂｉｔ分のシリアル通信ｂｉｔが必要になる。シリアル通信の場合、通信するｂｉｔ数はテレビジョン受像機のシステムによって限りがあるため、有効利用が不可欠である。
【特許文献１】特開平９−２８４６６５号公報
【発明の開示】
【発明が解決しようとする課題】
【０００４】
この発明は、テレビジョン受像機全体を制御するＴＶマイコンの内部の時刻情報を補正するために、デジタル放送を受信することによって取得した時刻情報をデジタル放送受信用マイコンからＴＶマイコンに通信する際に、通信情報量の低減化が図れるテレビジョン受像機を提供することを目的とする。
【課題を解決するための手段】
【０００５】
請求項１に記載の発明は、テレビジョン受像機全体を制御するＴＶマイコン、ＴＶマイコンの内部の時刻情報を補正するために、デジタル放送を受信することによって取得した時刻情報をＴＶマイコンに通信するデジタル放送受信用マイコンとを備えたテレビジョン受像機において、デジタル放送受信用マイコンは、デジタル放送を受信することによって取得した時刻情報に含まれている”時”、”分”および”秒”の情報のうちの”分”および”秒”の情報の両方が０であるか否かを判別する判別手段、ならびにデジタル放送を受信することによって取得した時刻情報に含まれている”分”および”秒”の情報の両方が０であると判別したときのみ、その時刻情報に含まれている”時”の情報のみをＴＶマイコンに送信する手段を備えており、ＴＶマイコンは、デジタル放送受信用マイコンから送信されてきた時刻情報に基づいて内部の時刻情報を補正する手段を備えていることを特徴とする。
【発明の効果】
【０００６】
この発明によれば、テレビジョン受像機全体を制御するＴＶマイコンの内部の時刻情報を補正するために、デジタル放送を受信することによって取得した時刻情報をデジタル放送受信用マイコンからＴＶマイコンに通信する際に、通信情報量の低減化が図れるようになる。
【発明を実施するための最良の形態】
【０００７】
以下、図面を参照して、この発明をデジタル放送を受信する機能を備えたテレビジョン受像機に適用した場合の実施例について説明する。
【実施例１】
【０００８】
図１は、デジタル放送を受信する機能を備えたテレビジョン受像機の構成を示している。
【０００９】
アナログ用アンテナ１で受信された放送信号は、アナログチューナ２に送られる。アナログチューナ２はテレビジョン受像機全体を制御するＴＶマイコン１０からの選局情報に基づいて、選局動作を行う。アナログチューナ２によって得られた映像信号は、ビデオ信号処理回路３を介してＬＣＤパネル（表示器）４に送られて映像出力される。アナログチューナ２によって得られた音声信号は、音声信号処理回路５を介してスピーカ６に送られて、音声出力される。
【００１０】
デジタル用アンテナ７で受信された放送信号は、ＢＳデジタルチューナ８に送られる。ＢＳデジタルチューナ８はＢＳＤマイコン（デジタル放送受信用マイコン）２０からの選局情報に基づいて、選局動作を行う。ＢＳデジタルチューナ８によって得られた映像信号は、ビデオ信号処理回路３を介してＬＣＤパネル（表示器）４に送られて映像出力される。ＢＳデジタルチューナ８によって得られた音声信号は、音声信号処理回路５を介してスピーカ６に送られて、音声出力される。ＢＳデジタルチューナ８によって取得された時刻情報（ＢＳデジタル放送を受信することによって得られた時刻情報）は、ＢＳＤマイコン２０に送られる。なお、ＢＳＤマイコン２０は、地上デジタル放送、ＢＳデジタル放送、ＣＳ１／ＣＳ２デジタル放送の受信を行ない、それらの設定や制御をＴＶマイコン１０から独立して行なう。ただし、リモコンキー信号や映像ソースの切り換えに関する情報は、ＴＶマイコン１０から伝達される。
【００１１】
ＴＶマイコン１０とＢＳＤマイコン２０とは、３線シリアル通信によって相互に通信可能となっている。アナログチューナ２、ビデオ信号処理回路３、音声信号処理回路５およびＢＳＤマイコン２０はＴＶマイコン１０によって制御される。ＴＶマイコン１０には、テレビジョン受像機本体に設けられた操作部（本体操作部）１１が接続されている。また、ＴＶマイコン１０には、リモコン３０からのリモコン信号（光信号）を電気信号に変換するための受光部１２が接続されている。
【００１２】
このテレビジョン受像機では、ＢＳデジタル放送によって送出されている時刻情報に基づいて、ＴＶマイコン１０の内部の時刻情報を補正する時刻補正機能を備えている。時刻補正機能を達成するために、ＢＳＤマイコン２０は、ＢＳデジタルチューナ８によって取得された時刻情報（ＢＳデジタル放送を受信することによって得られた時刻情報）を、ＴＶマイコン１０に通信するようにしている。ただし、通信情報量を少なくするために、ＢＳＤマイコン２０は、ＢＳデジタルチューナ８から送られてきた時刻情報に含まれている”時”、”分”および”秒”の情報のうちの”分”および”秒”の情報の両方が０のときにのみ、その時刻情報に含まれる”時”の情報のみをＴＶマイコン１０に通信するようにしている。したがって、１時間おきに”時”の情報のみからなる時刻情報がＴＶマイコン１０に通信される。”時”の情報のみからなる時刻情報をＴＶマイコン１０に通信しているので、時刻情報の通信に５ｂｉｔだけを使用することになる。この結果、シリアル通信ｂｉｔの有効利用が図れる。
【００１３】
図２は、ＢＳＤマイコン２０による時刻情報通信処理手順を示している。
【００１４】
ＢＳＤマイコン２０は、ＢＳデジタルチューナ８から送られてきた時刻情報を受信すると（ステップＳ１）、受信した時刻情報に含まれている”時”、”分”および”秒”の情報のうちの”分”および”秒”の情報の両方が０であるか否かを判別する（ステップＳ２）。受信した時刻情報に含まれている”分”および”秒”の情報のうちの少なくとも一方が０でない場合には、ステップＳ１に戻る。
【００１５】
受信した時刻情報に含まれている”分”および”秒”の情報の両方が０である場合には、受信した時刻情報に含まれている”時”の情報のみをＴＶマイコン１０に送信する（ステップＳ３）。そして、ステップＳ１に戻る。
【００１６】
図３は、ＴＶマイコン１０がＢＳＤマイコン２０から通信されてきた時刻情報を受信した場合の処理手順を示している。
【００１７】
ＴＶマイコン１０は、ＢＳＤマイコン２０から送られてきた時刻情報（”時”の情報のみの時刻情報）を受信すると（ステップＳ１１）、内部の時刻情報を受信した時刻情報に基づいて補正する（ステップＳ１２）。そして、ステップＳ１１に戻る。
【００１８】
なお、ＢＳＤマイコン２０は、ＢＳデジタルチューナ８から送られてきた時刻情報に含まれている”分”および”秒”の情報の両方が０であると判別した場合には、その時刻情報に含まれている”時”の情報をＴＶマイコン１０に所定時間間隔Δｔで複数回（例えば、５回）送信するようにしてもよい。そして、ＴＶマイコン１０は、同じ内容の時刻情報を所定期間内に２回受信した場合にのみ、受信した時刻情報に上記所定時間間隔Δｔに相当する時間だけ加算した時刻を現在の正確な時刻と見做して、内部の時刻情報を補正するようにしてもよい。
【図面の簡単な説明】
【００１９】
【図１】ＢＳデジタル放送を受信する機能を備えたテレビジョン受像機の構成を示すブロック図である。
【図２】ＢＳＤマイコン２０による時刻情報通信処理手順を示すフローチャートである。
【図３】ＴＶマイコン１０がＢＳＤマイコン２０から通信されてきた時刻情報を受信した場合の処理手順を示すフローチャートである。
【符号の説明】
【００２０】
７  デジタル用アンテナ
８  ＢＳデジタルチューナ
１０  ＴＶマイコン
２０  ＢＳＤマイコン
【図１】
2006352747.tif 000003
【図２】
2006352747.tif 000004
【図３】
2006352747.tif 000005